(57)【要約】　
【課題】
　本考案の目的は、アロエの葉皮、葉肉部分、液を含浸した不織布、編織物をパックなど
につめ、使用に際して、パックを開封して使用可能な美容用アロエシートを開発すること
である。 
【解決する手段】
アロエ由来の成分を含むシートであって、
該シートの全体輪郭が、顔面の形状に対応した楕円形シートを用いるとともに、該楕円形
シートに、口、鼻、目のための開口部を設けたことを特徴とするシート或いは前記の楕円
形シートとして、鼻の中心線に対応して、楕円形シートの長軸で切断された２個の半楕円
を用いるとともに、口、鼻、目のための開口部を設けたことを特徴とするシート、或いは
前記の楕円形シートとして、楕円形シートの短軸に沿い乃至平行して分割された部品から
なる楕円形シートを用いるとともに、口、鼻、目のための開口部を設けたことを特徴とす
るシートである。
そして、アロエ由来のシートとして、アロエの表皮部分と葉肉部分からなるシート、葉肉
部分からなるシート、アロエの表皮部分及び葉肉部分の抽出液をしみ込ませた、不織布、
編織物からなるシートであることを特徴とする。
【選択図】　　　図３
0003099708.tif 000002
【実用新案登録請求の範囲】
【請求項１】
アロエ由来の成分を含むシートであって、
該シートの全体輪郭が、顔面の形状に対応した楕円形シートを用いるとともに、
該楕円形シートに、口、鼻、目のための開口部を設けたことを特徴とするシート。
【請求項２】
請求項１の楕円形シートとして、鼻の中心線に対応して、楕円形シートの長軸で切断され
た２個の半楕円を用いるとともに、口、鼻、目のための開口部を設けたことを特徴とする
シート。
【請求項３】
請求項１の楕円形シートとして、楕円形シートの短軸に沿い乃至平行して分割された部品
からなる楕円形シートを用いるとともに、口、鼻、目のための開口部を設けたことを特徴
とするシート。
【請求項４】
請求項１の楕円形シートとして、鼻の中心線に対応して、楕円形シートの長軸で切断する
とともに、短軸に沿い乃至平行に分割された複数部品を用いるとともに、口、鼻、目のた
めの開口部を設けたことを特徴とするシート。
【請求項５】
請求項１〜請求項４において、アロエ由来のシートとして、アロエの表皮部分と葉肉部分
からなるシートであることを特徴とするシート。
【請求項６】
請求項１〜請求項４において、アロエ由来のシートとして、アロエの葉肉部分からなるシ
ートであることを特徴とするシート。
【請求項７】
請求項１〜請求項４において、アロエ由来のシートとして、アロエの表皮部分及び葉肉部
分の抽出液をしみ込ませた、不織布、編織物からなるシートであることを特徴とするシー
ト。
【考案の詳細な説明】
【技術分野】
【０００１】
　本考案は、美容のために使用するアロエを使用したシートに関するものである。 
【背景技術】
【０００２】
　ユリ科アロエに属するアロエは、古来、広く民間薬として愛用されて来た。アロエは、
健胃剤、抗炎症剤などの医薬品、健康食品などの用途（特許文献１）以外に、ソバカス、
シミなどを除去し美肌をもたらす美容健康化剤として極めて有効であることが見出されて
いる（特許文献２）。また養毛料としても有効であることが認められ（特許文献３）、繊
維製品にしみ込ませて使用する方法も開示されている（特許文献４）。 
【０００３】
【特許文献１】日本特許２５１４１０２号公報
【特許文献２】特開平１０−１０１５４１号公報
【特許文献３】特開平８−４０８４４号公報
【特許文献４】実開平３−１４０９２号公報
【考案の開示】
【考案が解決しようとする課題】
【０００４】
　ところが、この美容などに使用されるアロエ由来の成分を使用する方法についてもなお
、改善すべき、下記の様な問題点が残されている。
　（イ）　アロエの由来のシートを顔の美容や治療に利用する場合、目、鼻、口などの部
分を取除き、顔面に貼る必要がある。もし、予め、目、鼻、口などの部分を取除いておけ
ば、治療の際の手間が省ける。
　（ロ）　葉肉部分の抽出液にさらに、他の人工的に合成された成分を配合して使用され
るケースが多く、天然物を使用する良い点が失われるおそれが大きい。
　（ハ）　天然物においては、幾多の成分が相互に作用しあって効果を発揮するのである
が、本考案の方法では、このような有利な点を利用することが可能である。
【０００５】
　そこで本考案の目的は、アロエの葉皮、葉肉部分、液を含浸した不織布、編織物をパッ
クなどにつめ、使用に際して、パックを開封して使用可能な美容用アロエシートを開発す
ることである。 
【課題を解決するための手段】
【０００６】
　上記の目的を達成する為の本考案によるアロエシートは、 
（１）　アロエ由来の成分を含むシートであって、
該シートの全体輪郭が、顔面の形状に対応した楕円形シートを用いるとともに、
該楕円形シートに、口、鼻、目のための開口部を設けたことを特徴とする、
（２）　（１）の楕円形シートとして、鼻の中心線に対応して、楕円形シートの長軸で切
断された２個の半楕円を用いるとともに、口、鼻、目のための開口部を設けたことを特徴
とする、
（３）　（１）の楕円形シートとして、楕円形シートの短軸に沿い乃至平行して分割され
た部品からなる楕円形シートを用いるとともに、口、鼻、目のための開口部を設けたこと
を特徴とする、
（４）　（１）の楕円形シートとして、鼻の中心線に対応して、楕円形シートの長軸で切
断するとともに、短軸に沿い乃至平行に分割された複数部品を用いるとともに、口、鼻、
目のための開口部を設けたことを特徴とする、
（５）　（１）〜（４）において、アロエ由来のシートとして、アロエの表皮部分と葉肉
部分からなるシートであることを特徴とする、
（６）　（１）〜（４）において、アロエ由来のシートとして、アロエの葉肉部分からな
るシートであることを特徴とする、
（７）　（１）〜（４）において、アロエ由来のシートとして、アロエの表皮部分及び葉
肉部分の抽出液をしみ込ませた、不織布、編織物からなるシートであることを特徴とする
。
【０００７】
本考案において、使用される不織布、編織物からなるシートに使用されるシートは、ナイ
ロン、ポリエステル、ポリプロピレン、アクリルなどの合成繊維、セルロースアセテート
などの半合成繊維、木綿、羊毛などの天然繊維が使用できる。
ここで使用される不織布として、湿式、乾式、スパンボンド式などで製造される不織布を
あげることができる。
【考案を実施するための最良の形態】
【０００８】
　アロエの表皮部分と葉肉部分を使用するときは、大きな葉を有する産地の葉を先ず入手
する。次に葉の端にあるとげ、葉の先端の一部を取り去り、表皮と葉肉の部分を切り開く
。葉肉部分はさらに薄くスライスする。このとき液体成分が流出するが、別に容器に保存
しておく。切り開いた表皮、葉肉を、顔の形に対応した楕円形に切断し、目、鼻、口の部
分に対応する部分を切り抜く。 
次に、合成樹脂フィルムで包装し、真空にして封をいて製品とする。
別に容器に保存した液体成分は、木綿・ポリエステル繊維からなる編物にしみ込ませ、合
成樹脂フィルムで包装し製品とする。
使用に際しては、必要なら、滅菌した脱イオン水などで湿らせ顔を覆い、薬用成分を顔の
皮膚に浸透し効果を上げることが可能となる。
【０００９】
　以下に、本考案の具体的な構成に付いて、図面を参照しながら説明する。
図１は、本考案で用いるアロエの葉の断面図である。図２は、本考案で用いるアロエの葉
を中心部で切り開いたときの断面図である。アロエの葉は中心部で切り開いて、内部の葉
肉を取り出した後、葉皮は乾燥せず、顔の大きさに相当する楕円形に切断した後、図３に
示したように目、鼻、口のための開口部をくりぬき、水分を含んだ状態でパックし製品と
する。なお、葉肉の部分も楕円形に切断した後、目、鼻、口のための開口部をくりぬき製
品とすることができる（図示せず）。またアロエの葉肉ないし葉皮からの水分を、目、鼻
、口のための開口部をくりぬいた不織布などの繊維製品にしみ込ませ製品とすることがで
きる（図示せず）。 
【００１０】
図４は、アロエの葉の幅が顔の大きさより小さい場合、顔の幅の半分の幅のアロエの葉を
用意し２枚合わせて顔の大きさとし、同様に目、鼻、口のための開口部を設け製品とする
。図５は、さらにアロエの葉の大きさが小さく、４枚あわせて顔の大きさとする場合を示
している。 
【００１１】
　使用に際しては、必要なら滅菌した水で膨潤したのち、顔に乗せアロエの葉に含まれて
いる成分が顔の皮膚に作用するまで充分な時間をかける。次に顔を洗い終了する。 
【００１２】
　以上の説明によって明らかな様に、本考案によるアロエを利用したパックは以下に列挙
する如き、実用上の好ましい効果を奏する。
　（ａ）　従来あまり重視されていなかった表皮や、葉肉の部分を抽出した後の葉皮部分
も有効に利用することができる。　 
　（ｂ）　真空パックした製品を使用するのであり、保存性が増している。
　（ｃ）　大型のアロエの葉を用い、目、鼻、口を除いた顔全体にアロエの葉の成分を行
き渡らせ、野性味あふれた処置であり、処置後は満足感を味わうことが可能である。
　（ｄ）　人工的に合成された薬品を使用することがなく、環境にやさしい。
【図面の簡単な説明】
【００１３】
【図１】本考案で使用するアロエの葉の断面図である。
【図２】本考案で使用するアロエの葉を中央で切り開いたときの断面図である。
【図３】一枚のアロエの葉を用いて、顔全体の面を形成後、目、鼻、口の部分をくりぬいた時の平面図である。
【図４】二枚のアロエの葉を用いて、顔全体の面を形成後、同様に目、鼻、口の部分をくりぬいた時の平面図である。
【図５】四枚のアロエの葉を用いて、顔全体の面を形成後、同様に目、鼻、口の部分をくりぬいた時の平面図である。
【符号の説明】
【００１４】
　１　　アロエの葉
　２　　葉皮
　３　　葉肉
　４　　目のための開口部
　５　　鼻のための開口部
　６　　口のための開口部
【図１】
0003099708.tif 000003
【図２】
0003099708.tif 000004
【図３】
0003099708.tif 000005
【図４】
0003099708.tif 000006
【図５】
0003099708.tif 000007